(57)【要約】【課題】液晶の駆動電圧の温度変化に広範囲に追従する温度補償を実現することのできる液晶表示回路を提供する。【解決手段】演算増幅器１の入力端子側に電圧調整用電子ボリュームＶＲを設け、演算増幅器１の出力端子と反転入力端子の間に接続される帰還抵抗Ｒ２にサーミスタＴＨを含む温度補償回路を備えた液晶ドライバを有する液晶表示回路において、出力電圧に応じて電子ボリュームＶＲの抵抗値を低温用および高温用に切り替える電圧調整手段を備えた。この電圧調整手段は、演算増幅器１の出力端子に接続された、第１の基準電圧Ｖ１をもつ第１の電圧比較器２と、第２の基準電圧Ｖ２をもつ第２の電圧比較器３とを備え、出力端子に現れる電圧ＶLCDが第１の基準電圧Ｖ１以下になったときと、第２の基準電圧Ｖ２以上になったときに、それぞれ電子ボリュームＶＲの抵抗値を低温用および高温用に切り替える。【選択図】図１
2005275037.tif 000002
【特許請求の範囲】
【請求項１】
演算増幅器の入力端子側に電圧調整用電子ボリュームを設け、前記演算増幅器の出力端子と反転入力端子の間に接続される帰還抵抗に温度補償回路を備えた液晶ドライバを有し、前記演算増幅器の出力端子に出力された電圧によって駆動される液晶表示回路において、前記演算増幅器の出力端子に現れる電圧に応じて前記電圧調整用電子ボリュームの抵抗値を低温用および高温用に切り替える電圧調整手段を備えたことを特徴とする液晶表示回路。
【請求項２】
前記電圧調整手段は、前記演算増幅器の出力端子に接続された、低温における液晶の作動電圧に対応する第１の基準電圧をもつ第１の電圧比較器と、高温における液晶の作動電圧に対応する第２の基準電圧をもつ第２の電圧比較器とを備え、前記出力端子に現れる電圧が前記第１の基準電圧以下になったときと、前記第２の基準電圧以上になったときに、それぞれ前記電圧調整用電子ボリュームの抵抗値を低温用および高温用に切り替える機能を有することを特徴とする請求項１記載の液晶表示回路。
【請求項３】
前記電圧調整手段は、前記演算増幅器の出力端子に接続されたＡ／Ｄ変換器と、このＡ／Ｄ変換器により変換された前記演算増幅器の出力電圧によって前記電圧調整用電子ボリュームの抵抗値を低温用および高温用に切り替える機能を有することを特徴とする請求項１記載の液晶表示回路。
【発明の詳細な説明】
【技術分野】
【０００１】
本発明は、液晶表示回路に係り、特に、液晶に電源を供給する液晶ドライバに関する。
【背景技術】
【０００２】
液晶表示回路は、液晶の駆動電圧が液晶ドライバにより供給されているのが一般的である（例えば、特許文献１）が、液晶は温度特性を持ち、最適駆動電圧は温度により変化するので、液晶ドライバからの出力に温度補償回路を付加する必要がある。
【０００３】
図４は従来の温度補償回路を備えた液晶ドライバを示すもので、演算増幅器１の反転入力端子に基準抵抗Ｒ１を、非反転入力端子に調整用固定抵抗Ｒ５と電子ボリュームＶＲとの直列回路の接続点をそれぞれ接続し、反転入力端子と出力端子との間に帰還抵抗Ｒ２を接続したものである。そして、帰還抵抗Ｒ２に並列に、抵抗Ｒ３，Ｒ４、サーミスタＴＨからなる温度補償回路が接続されている。これにより、演算増幅器１の出力端子からは、サーミスタＴＨにより温度補償された液晶駆動電圧ＶLCDが出力される。
【特許文献１】特開平９−３２５３１８号公報（第１１図）
【発明の開示】
【発明が解決しようとする課題】
【０００４】
この温度補償回路によって補償された液晶駆動電圧ＶLCDは、図５に示すように、温度の広い範囲にわたって直線状の傾きを持っているが、液晶の駆動電圧の温度特性は、−２０℃以下および＋７０℃以上でカーブａ，ｂに示すように急激に変化するため、リニアな温度特性をもつ温度補償回路では液晶の駆動電圧の変化に追従できない。
【０００５】
本発明は、液晶の駆動電圧の温度変化に広範囲に追従する温度補償を実現することのできる液晶表示回路を提供することを目的とする。
【課題を解決するための手段】
【０００６】
本発明の液晶表示回路においては、液晶ドライバを構成する演算増幅器の出力端子に現れる電圧に応じて電圧調整用電子ボリュームの抵抗値を低温用および高温用に切り替える電圧調整手段を備えたものである。
【発明の効果】
【０００７】
本発明によれば、液晶ドライバを構成する演算増幅器の出力端子に現れる電圧に応じて電圧調整用電子ボリュームの抵抗値を低温用および高温用に切り替える電圧調整手段を備えたことにより、液晶の駆動電圧の温度変化に広範囲に追従する温度補償を実現することができる。
【０００８】
また、電圧調整手段を、低温における液晶の作動電圧に対応する第１の基準電圧をもつ第１の電圧比較器と、高温における液晶の作動電圧に対応する第２の基準電圧をもつ第２の電圧比較器とを有し、出力端子に現れる電圧が第１の基準電圧以下になったときと、第２の基準電圧以上になったときに、それぞれ前記電圧調整用電子ボリュームの抵抗値を低温用および高温用に切り替えるようにすることで、各電圧比較器の出力により電子ボリュームを調整することができる。
【０００９】
電圧調整手段を、演算増幅器の出力端子に接続されたＡ／Ｄ変換器と、このＡ／Ｄ変換器により変換された演算増幅器の出力電圧によって電子ボリュームの抵抗値を低温用および高温用に切り替える機能を備えた構成とすることで、電子ボリュームを、デジタル制御により出力電圧に応じて適正な抵抗値に調整することができる。
【発明を実施するための最良の形態】
【００１０】
本発明の請求項１に記載の発明は、演算増幅器の入力端子側に電圧調整用電子ボリュームを設け、前記演算増幅器の出力端子と反転入力端子の間に接続される帰還抵抗に温度補償回路を備えた液晶ドライバを有し、前記演算増幅器の出力端子に出力された電圧によって駆動される液晶表示回路において、前記演算増幅器の出力端子に現れる電圧に応じて前記電圧調整用電子ボリュームの抵抗値を低温用および高温用に切り替える電圧調整手段を備えたことを特徴とする液晶表示回路であり、液晶駆動電圧の温度特性に対応するように温度補償された演算増幅器の出力電圧を電圧調整手段により監視し、低温用と高温用に電子ボリュームの抵抗値を切り替えることで、広範囲にわたる温度で液晶駆動電圧が補償されるという作用を有する。
【００１１】
請求項２に記載の発明は、前記電圧調整手段は、前記演算増幅器の出力端子に接続された、低温における液晶の作動電圧に対応する第１の基準電圧をもつ第１の電圧比較器と、高温における液晶の作動電圧に対応する第２の基準電圧をもつ第２の電圧比較器とを備え、前記出力端子に現れる電圧が前記第１の基準電圧以下になったときと、前記第２の基準電圧以上になったときに、それぞれ前記電圧調整用電子ボリュームの抵抗値を低温用および高温用に切り替える機能を有することを特徴とする請求項１記載の液晶表示回路であり、各電圧比較器の出力により電子ボリュームが調整されるという作用を有する。
【００１２】
請求項３に記載の発明は、前記電圧調整手段は、前記演算増幅器の出力端子に接続されたＡ／Ｄ変換器と、このＡ／Ｄ変換器により変換された前記演算増幅器の出力電圧によって前記電圧調整用電子ボリュームの抵抗値を低温用および高温用に切り替える機能を有することを特徴とする請求項１記載の液晶表示回路であり、電子ボリュームは、デジタル制御により出力電圧に応じて適正な抵抗値に調整されるという作用を有する。
【００１３】
以下、本発明の実施の形態について、図１から図３を用いて説明する。
【００１４】
（実施の形態１）
図１は本発明の実施の形態１に係る液晶表示回路の液晶ドライバの構成を示す回路図、図２は本実施の形態１における温度と液晶ドライバ出力との関係を示すグラフである。
【００１５】
図１において、演算増幅器１の反転入力端子に基準抵抗Ｒ１が、非反転入力端子に調整用固定抵抗Ｒ５と電子ボリュームＶＲとの直列回路の接続点がそれぞれ接続され、反転入力端子と出力端子との間に帰還抵抗Ｒ２が接続されている。また、帰還抵抗Ｒ２に並列に、抵抗Ｒ３，Ｒ４、サーミスタＴＨからなる温度補償回路が接続されている。この構成は、従来と同様である。
【００１６】
本実施の形態では、演算増幅器１の出力端子に第１の電圧比較器２と第２の電圧比較器３を接続し、第１および第２の電圧比較器２，３の出力は電子ボリュームＶＲのドライバ４に入力されている。第１の電圧比較器２の第１の基準電圧Ｖ１は、−２０℃のときの演算増幅器１の出力電圧ＶLCDに等しい電圧に設定され、第２の電圧比較器３の第２の基準電圧Ｖ２は、＋７０℃のときの演算増幅器１の出力電圧ＶLCDに等しい電圧に設定されている。
【００１７】
そして、第１の電圧比較器２は、演算増幅器１の出力電圧ＶLCDが第１の基準電圧Ｖ１以下になるとフラグ１を電子ボリュームドライバ４に出力する。また第２の電圧比較器３は、演算増幅器１の出力電圧ＶLCDが第２の基準電圧Ｖ２以上になるとフラグ２を電子ボリュームドライバ４に出力する。
【００１８】
次に、この実施の形態１の動作について説明する。図２に示すように、温度が−２０℃から＋７０℃の間は、演算増幅器１の出力電圧ＶLCDは図１の温度補償回路によりリニアに変化して、液晶の温度特性に追従した電圧が液晶に与えられる。温度が−２０℃以下になると、第１の電圧比較器２の出力としてフラグ１が電子ボリュームドライバ４に出力され、液晶の低温特性に追従した電圧が演算増幅器１から出力されるように電子ボリュームＶＲを制御する。また、温度が＋７０℃以上になると、第２の電圧比較器３の出力としてフラグ２が電子ボリュームドライバ４に出力され、液晶の高温特性に追従した電圧が演算増幅器１から出力されるように電子ボリュームＶＲを制御する。
【００１９】
（実施の形態２）
図３は本発明の実施の形態２に係る液晶表示回路の液晶ドライバの構成を示す回路図である。
【００２０】
図３において、演算増幅器１の反転入力端子に基準抵抗Ｒ１が、非反転入力端子に調整用固定抵抗Ｒ５と電子ボリュームＶＲとの直列回路の接続点がそれぞれ接続され、反転入力端子と出力端子との間に帰還抵抗Ｒ２が接続されている。また、帰還抵抗Ｒ２に並列に、抵抗Ｒ３，Ｒ４、サーミスタＴＨからなる温度補償回路が接続されている。ここまでの構成は、従来と同様である。
【００２１】
本実施の形態では、演算増幅器１の出力端子にＡ／Ｄ変換器５を接続して演算増幅器１の出力電圧ＶLCDをデジタル値に変換し、ＣＰＵ６に入力して、電子ボリュームＶＲをプログラムにより制御する。プログラムや適正な温度特性は不揮発メモリ７に格納されており、図２に示した電圧特性となるように、電子ボリュームＶＲはプログラム制御される。
【産業上の利用可能性】
【００２２】
本発明は、液晶の駆動電圧の温度変化に広範囲に追従する温度補償を実現することのできる液晶表示回路として利用することができる。
【図面の簡単な説明】
【００２３】
【図１】本発明の実施の形態１に係る液晶表示回路の液晶ドライバの構成を示す回路図
【図２】本実施の形態１における温度と液晶ドライバ出力との関係を示すグラフ
【図３】本発明の実施の形態２に係る液晶表示回路の液晶ドライバの構成を示す回路図
【図４】従来の温度補償回路を備えた液晶ドライバを示す回路図
【図５】従来における温度と液晶ドライバ出力との関係を示すグラフ
【符号の説明】
【００２４】
１  演算増幅器
２  第１の電圧比較器
３  第２の電圧比較器
４  電子ボリュームドライバ
５  Ａ／Ｄ変換器
６  ＣＰＵ
７  不揮発メモリ
Ｒ２  帰還抵抗
ＶＲ  電子ボリューム
ＴＨ  サーミスタ
【図１】
2005275037.tif 000003
【図２】
2005275037.tif 000004
【図３】
2005275037.tif 000005
【図４】
2005275037.tif 000006
【図５】
2005275037.tif 000007